(57)【要約】【課題】藻場の環境を破壊せずに海藻類を計画的に育成する手法の開発を課題とする。【解決手段】セラミック製で１または２以上の着床板部とスペーサー部及び一つの連結・挿入部とからなる着床促進基材を固定した人工増殖具に、水槽または海中で海藻の種苗を着けた後、すぐにまたは適切な中間育成期間を経て、海中の藻場基盤に穴を穿ち、そこに挿入・接着することで解決できることを見いだした。【選択図】　　　　図１
2004121195.tif 000002
【特許請求の範囲】
【請求項１】
セラミック製で１または２以上の着床板部とスペーサー部及び一つの連結・挿入部とからなる着床促進基材を固定することを特徴とする海藻類の人工増殖具。
【請求項２】
スペーサー部と連結・挿入部を円錐形や角錐形などで一体化したことを特徴とする請求項１記載の海藻類の人工増殖具。
【請求項３】
スペーサー部の厚さが４ｍｍ〜１０ｍｍであることを特徴とする請求項１記載の海藻類の人工増殖具。
【請求項４】
着床板部に、直径または幅４ｍｍ〜１０ｍｍ、深さ４ｍｍ〜２０ｍｍの溝または孔の加工を施したことを特徴とする請求項１記載の海藻類の人工増殖具。
【請求項５】
（１）、（２）、（３）または（４）記載のセラミック製の人工増殖具を水槽や海中に固定して海藻の種苗を着け、それをすぐにまたは適切な中間育成の後、海中の藻場基盤に穴を穿って挿入固定することを特徴とする藻場の人工増殖法。
【発明の詳細な説明】
【０００１】
【発明の属する技術分野】
本発明は、藻場造成に用いるための海藻類の人工増殖具および人工増殖法に関する。
【０００２】
【従来の技術】
岩場に形成される藻場は、多種の海洋生物の幼稚仔を保育する機能を有しているほか、ウニやアワビなどの磯根資源の生息場として重要である。またコンブやワカメなどは食用や産業用としても重要である。
【０００３】
近年、護岸工事や港湾造成などによって物理的に藻場適地が消滅しているうえ、磯焼けによって大型海藻が着かない岩場が増えるなど、藻場の荒廃が大きな問題となっている。
【０００４】
この対策として、人工的に藻場を造成することを目的に、石材やコンクリートブロック等を設置する増殖場開発事業が行われてきた。藻礁として、網や鉄枠に岩を詰めたもの（特開平８−３３４４２号広報など）、古タイヤを利用するもの（特許第２５２１６４２号など）、多孔質のやきものを利用するもの（特開２００２−５８３８２号広報）、コンクリートや鋼製の藻礁ユニット（特開平１１−２０６２６４号広報、特開２０００−２８７５７８号広報、特開２００２−１７６８７７号広報、特開２００２−１８０４７３号広報など）、中層に浮かせた枠型構造物を付着基盤とする方法（特開２００２−１１３号広報、特開平２００２−６５１０１広報、特開２００２−７９５１８号広報など）や、付着基盤部を交換可能としたもの（特開２０００−３４２１０１号広報など）など多種が考案されている。
これらの手法は海中に藻がつくための基盤を提供することが目的であり、設置した後は自然に海藻が付着することを期待しており、特定の種類の海藻を長い年月の間継続して生育せることは偶然性が高い。
【０００５】
海藻は付着基盤の表面がきれいな状態のときに良く着くため、雑海藻除去を目的にした岩礁爆破事業がコンブ漁場などで行われてきた。毎年新しい付着基盤面を提供するために層状基盤を更新する方式（特開平９−３０８４０７号広報）、浮沈機能を持たせた藻礁（特開平５−３８２４０号広報、特開平１１−３２６２３号広報など）、などが考案されている。
これらも特定の海藻を着床させることはできず偶然性が高い。
【０００６】
ノリ、ワカメ、コンブ、モヅクなど、海藻の種苗をロープにつけて海中に張って養殖する方法は広く行われている。これらの種苗の着いたロープを藻礁や海底に固定して移植する海中林造成法も広く行われ、固定方法（特開平１１−１３７１１８号広報など）などが考案されている。移植用種苗ロープに替わるものとして、炭素繊維や分解性樹脂（特開平８−５１８７９号広報、特開２００１−１８９号広報、特開２００１−１８６８２６号広報、特開２００２−８４９０３号広報など）などの利用が考案されている。
しかし海底の岩や藻礁に張ったロープは脆弱であり、またロープが波浪や潮流で振動しないように強固に固定することが難しい。また成長した海藻はロープが破損・流失することで固着基盤を失う結果となる。炭素繊維や分解性樹脂についても固定方法が問題になる。
【０００７】
種苗ロープ法とは異なる海藻の移植法として、種苗を着けたユニットを利用する方法が考案されている。育成部材を浅い場所において海藻を育てた後に深いところに藻礁として沈める方法（特開２００２−１０１７８６号広報）、藻場造成用構造物にあらかじめ溝や固定用具を装備しておき、そこに海藻種苗をつけた種苗担持具を固定する方法（特開２０００−１３９２６７号広報、特開２００１−２７５５０６号広報、特開２００１−２７５５０７号広報、特開２００２−６５１０２号広報など）などさまざまである。
これらの方法では、海藻を着ける操作や種苗担持具の設置が一度は可能である。しかし海藻が枯れたあと、種苗担持具を簡便に新しいものに交換する作業は困難であり、長期間安定した藻場を形成することは難しい。
【０００８】
より小型の着床具（種苗担持具）として２種が考案されている。
【０００９】
特開２００１−１７８３０５号広報「藻類育成具及び藻類育成具を利用した人工藻場」では、藻類の胞子の着床片を混入した繊維状素材をフロートで浮かせ、ひも状の係留体で藻礁の止め金具に固定する。素材の多くは廃材のリサイクルである。
この方法では金属、プラスチック、ビニール等のさまざまな素材を加工かつ組み合わせて利用するが、大きく育った海藻を支えるには各部材に十分な強度をもたせる必要があり、生産コストの低減が難しい。また海藻が枯れたあとに非分解性のリサイクル物質が海底に残される結果となり、生態系保全の上で問題がある。
【００１０】
特開２００１−２５８４１４号広報「藻場の造成方法」では、一側を多角形状とし他側をくさび状とした木コマの側面に海藻の種を付着・育成させ、その木コマを藻礁に設けた穴に打ち込んで固定する。種苗の付着・育成法として、木コマを適当な構造物の溝に打ち込んでその構造物を海中に設置して海藻の胞子を付着させてしばらく中間育成する方法、または木コマに穴をあけてロープを通し数珠つなぎにして海中に設置して胞子を付着させて中間育成する方法の２種が示されている。
この発明は、木材で同じ形状のものを大量に作るうえで工作性に問題がある。種苗付着段階で木コマを構造物の溝に打ち込む場合、多数のコマを固定させるための構造物が大きいものになる。藻礁の穴に木コマを打ち込んで固定する移植工事段階で、最も良く海藻が着く木コマ上部をハンマーなどでたたく必要があり、せっかく育った海藻を傷つける。数珠つなぎにする工法では、中間育成によって木コマの全面に海藻が着くため、くさび部と上部の海藻を痛めることになる。
【００１１】
【発明が解決しようとする課題】
岩場、サンゴ礁、藻礁、人工魚礁、岸壁、防波堤、護岸構造物などさまざまな基盤を利用し、特定の種類の藻場を計画的に造成し、なおかつその藻場が減少または荒廃した場合でも継続的に追加造成できる手法の開発を課題とする。
【００１２】
【課題を解決するための手段】
本発明者等は、前記課題を解決すべく鋭意努力した結果、セラミック製で１または２以上の着床板部とスペーサー部及び一つの連結・挿入部とからなる着床促進基材に、水槽または海中で海藻の種苗を着けた後、すぐにまたは適切な中間育成期間を経て、海中の藻場基盤に穴を穿ち、そこに挿入・接着することで解決できることを見いだした。
【００１３】
すなわち、本発明は
（１）セラミック製で１または２以上の着床板部とスペーサー部及び一つの連結・挿入部とからなる着床促進基材を固定することを特徴とする海藻類の人工増殖具
（２）スペーサー部と連結・挿入部を円錐形や角錐形などで一体化したことを特徴とする請求項１記載の海藻類の人工増殖具
（３）スペーサー部の厚さが４ｍｍ〜１０ｍｍであることを特徴とする請求項１記載の海藻類の人工増殖具
（４）着床板部に、直径または幅４ｍｍ〜１０ｍｍ、深さ４ｍｍ〜２０ｍｍの溝または孔の加工を施したことを特徴とする請求項１記載の海藻類の人工増殖具
（５）（１）、（２）、（３）または（４）記載の海藻の人工増殖具を水槽や海中に固定して海藻の種苗を着け、それをすぐにまたは適切な中間育成の後、海中の藻場基盤に孔を穿って挿入固定することを特徴とする藻場の人工増殖法に関する。
【００１４】
大型藻類は一般に、配偶体または受精を経た胞子体の段階で基盤に着き、成長して葉状体になる。基盤の表面が雑海藻や砂泥などに覆われていると配偶体や胞子体はその場には着床できない。そこで配偶体や胞子体の着床時期に合わせて溝や孔を穿った着床促進基材を設置する。溝や孔の中に着いて育つ配偶体、胞子体や若い葉状体はウニ類や貝類の食害を受けにくい。これを水槽または海中で中間育成し、移植に適切な状態に達した段階で、それを傷つけない工法によって移植に供することが本発明の骨子である。
【００１５】
本発明者は、上記着床促進基材としてどのような形態が好ましいか、研究を重ねた結果、着床板部（直径約５ｃｍ、厚さ約１ｃｍ。図１．（ａ）１。）、スペーサー部（直径約２ｃｍ、厚さ約０．７ｃｍ。図１（ａ）２。）及び連結・挿入部（直径約１ｃｍ、長さ約１ｃｍ。図１（ａ）３。）からなる形状のものが好ましいことがわかった。そして着床板部とスペーサー部とを複数重ね合わせて用いることで（図１．（ｂ）。）付着生物防止用キャップを節約することも可能である。（図１．（ｂ）４。）
連結・挿入部は、育成段階では連結用に、移植段階では基盤への挿入接着用として機能する。
【００１６】
海藻類の配偶体や胞子体は着床板の上面に着きやすく、しかも着床板上面に直径または幅４ｍｍ〜１０ｍｍ、深さ４ｍｍ〜２０ｍｍｍｍの溝または孔を穿り（図３）、着床板と着床板の間隔を４ｍｍ以上１０ｍｍ以下とすること（図１、図２）でウニ類や貝類が入りにくくなり食害を受け難くすることができる。この場合、配偶体や胞子体は板の上面に多数が着くため、重ねた着床板の上部の奥行き（図１．（ｂ）５。）は３０ｍｍ以上ある必要はない。
【００１７】
着床板上面に穿った溝や孔のなかには、海藻類のほかにシャコガイの稚貝が着床しやすいことを見いだしている。また着床板下面の溝や孔のなかには稚サンゴが着床しやすいことも見いだしている。つまりこうした形状の着床促進基材は、上面は海藻類のほかシャコガイ、イガイ、その他の付着性貝類に、下面はサンゴに対して有効である。
【００１８】
この他に簡便な形状の例として、スペーサー部と連結・挿入部を円錐形や角錐形などに一体化することができる。（図２．（ａ）６。）また重ねない形状にして多数を平面に並べ、陸上水槽などでの種苗生産に供することもできる。（図４）
【００１９】
着床促進基材の材質としては、粘土を主素材として高温で酸化焼成したセラミックを用いることにより、硬くて内部に微細な間隙を持ち、目的とする海藻種の着床に適した形状のものを、安価に大量生産することができる。
【００２０】
粘土の代わりにまたはそれに混ぜ、火力発電所等で生ずる石炭灰を材料に用いることもできる。石炭灰には生物にとって有害な硫黄成分などが含まれることが問題であるが、酸化焼成によってセラミックとする工程で、それら有害成分は除去される利点がある。
【００２１】
粘土や石炭灰で造ったセラミックの着床促進基材は、基本的には無害かつ自然に産する物質であり、移植した海藻が枯死した後にそのまま放置しても、生態系にとって有害なものとはならない。
【００２２】
着床促進基材の設置場所は、選択することができるので、水槽や海域で特定の成に適する穏やかな場所に移動させることによって、管理を容易にすることもできる。またそれらをネット等で覆って食害から守ることも容易である。
【００２３】
着床促進基材は、岩場、サンゴ礁、藻礁、人工魚礁、岸壁、防波堤、護岸構造物などにさまざまな向きで固定することができる。基盤にドリル（空気や油圧駆動など）で小さな孔を穿ち、その中に連結挿入部を差し込んで接着固定することができる。柔らかい基盤の場合、スペーサー部までを差し込めるやや大きな孔を穿ち、固定強度を高めることができる。
【００２４】
着床促進基材で海藻類の移植を行った後、海藻が枯死したり藻場が荒廃した場合、新しい着床促進基材を継続的に基盤にまたは古い着床促進基材に重ねて固定することにより、同じ種類の海藻からなる藻場を追加造成することができる。
【００２５】
着床促進基材は重ねて束ねたり、重ねたものを架台に多数載せるなどして、海中に吊したり水槽や海底に固定設置する。これによって着床場所、中間育成場所、移植場所への移動を容易に行うことができる。
【００２６】
【発明の実施の形態】
以下に本発明を具体的に説明するために実施例を示すが、これに限定されるものではないことは言うまでもない。
（実施例１）
三重大学生物資源学部内の藻類実験施設において、着床板部の下面に溝を穿った形状のセラミック製の着床促進基材を用いて、海藻（アラメ）の配偶体を着ける実験を行った。
【００２７】
着床具は溝を穿った面が上になるように上下逆に設置したが、溝の窪みの最奥部に微細な海藻（アラメ）の配偶体が集中して着くことが実証された。（図５）（実施例２）
【００２８】
海藻用として上面に溝を穿ったセラミック製の着床促進基材を製作した。これには着床板の上面と下面に溝を穿ったほか、着床板部の側面には着床促進基材を束ねて固縛するためのガイド溝も穿った。（図６）
（実施例３）
【００２９】
移植工事の方法を陸上で模した。建築用の軽量ブロックを基盤とし、ドリルで直径１ｃｍ、深さ約１ｃｍの孔を穿った。そこに水中接着剤の小さな塊を入れ、着床促進基材の連結挿入部を差し込むことで固定作業は完了する。海中でも全く同じ工法が容易に実施できる。（図７）
【００３０】
【発明の効果】
本発明により、計画的にしかも藻場の環境を阻害することなく、藻場を造成しまた継続的に追加造成することができる。この発明は、サンゴ礁の再生、付着性貝類の着床・育生にとっても効果的である。
【図面の簡単な説明】
【図１】（ａ）着床板部１とスペーサー部２及び連結・挿入部３とからなる着床促進基材を示す図（単体）。
（ｂ）着床促進基材を重ねた状態を示す図。
【図２】（ａ）スペーサー部１と連結・挿入部を一体化した６着床促進基材を示す図（単体）。
（ｂ）着床促進基材を重ねた状態を示す図。
【図３】着床板部に溝や孔を穿った状態を示す図。
（ａ）　上面と下面に溝を穿った着床促進基材を示す図（単体）。
（ｂ）　上面、側面、下面に孔を穿った着床促進基材を示す図（単体）。
（ｃ）　上面と側面に孔を穿った、スペーサー部と連結・挿入部を一体化した着床促進基材を示す図（単体）。
【図４】（ａ）　重ねない簡単な形状の着床促進基材を示す図（単体）。
（ｂ）　着床促進基材多数を平面状に固定した状態を示す図。
【図５】陸上水槽において、下面に溝を穿ったセラミック製の着床促進基材を上下逆に設置し、溝の奥部に、微細な海藻（アラメ）の配偶体が着いた状態を示す写真。
【図６】セラミック製の海藻用の着床促進基材。着床促進基材の単体を重ねて固縛し、最下端の連結・挿入部を付着生物防止用にカバーしたことを示す写真。
【符号の説明】
１　着床板部
２　スペーサー部
３　連結・挿入部
４　付着生物防止用キャップ
５　付着版上面の奥行き
６　スペーサー部兼連結・挿入部
【図１】
2004121195.tif 000003
【図２】
2004121195.tif 000004
【図３】
2004121195.tif 000005
【図４】
2004121195.tif 000006
【図５】
2004121195.tif 000007
【図６】
2004121195.tif 000008
【手続補正書】
【提出日】平成14年10月10日(2002.10.10)
【手続補正１】
【補正対象書類名】図面
【補正対象項目名】図２
【補正方法】変更
【補正の内容】
【図２】
2004121195.tif 000009